(57)【要約】【課題】落下等によりプラグとリセプタクルとの連結部分が破損することを防止することができるコネクタの提供。【解決手段】プラグ２１は、絶縁材からなるプラグハウジングと、プラグハウジングのリセプタクル側端面２４ａより突出して、リセプタクルのプラグ側端面に露出したリセプタクルコンタクト４５に弾性的に接触するプラグコンタクト２３とを備え、プラグハウジングに、リセプタクルの連結用凹部５１に挿入される連結用凸部２５と、連結用凸部２５の外側面より突出し、連結用凹部５１の内側面に対し弾性的に係止される接続弾性部とを備えるとともに、連結用凸部外側面と連結用凹部内側面との間に間隙ｔを形成し、リセプタクル２０とプラグ２１との連結部分が一定以上の曲げ応力を受けると連結用凸部２５が連結用凹部５１より外れるようにした。【選択図】    図２
2004259632.tif 000002
【特許請求の範囲】
【請求項１】
機器に接続されたリセプタクルと、該リセプタクルに着脱自在に接続されるプラグとを有するコネクタにおいて、
前記プラグは、絶縁材からなるプラグハウジングと、該プラグハウジングのリセプタクル側端面より突出して、前記リセプタクルのプラグ側端面に露出したリセプタクルコンタクトに弾性的に接触するプラグコンタクトとを備え、
前記プラグハウジングに、そのリセプタクル側端面より突出し、前記リセプタクルのプラグ側端面に開口した連結用凹部に挿入される連結用凸部と、該連結用凸部の外側面より突出し、前記連結用凹部の内側面に対し弾性的に係止される接続弾性部とを備えるとともに、前記連結用凸部外側面と前記連結用凹部内側面との間に間隙を形成し、前記プラグとリセプタクルとの連結部分に一定以上の曲げ応力を受けると前記連結用凸部が前記連結用凹部より外れるようにしたことを特徴としてなるコネクタ。
【請求項２】
接続弾性部は、プラグハウジングの接続方向に貫通したスリット状の連結金具挿入孔に、弾性材からなる二股配置の弾性片を有する連結金具を挿入し、前記弾性片の先端側を連結用凸部の外側面より突出させることにより形成した請求項１に記載のコネクタ。
【発明の詳細な説明】
【０００１】
【発明の属する技術分野】
本発明は、主に携帯電話機と充電装置との接続等のように電子機器間の電気的接続に用いられるコネクタに関する。
【０００２】
【従来の技術】
従来、携帯電話機は、コネクタを介して充電装置やパソコン等の他の電子機器と電気的に接続できるようになっており（例えば、特許文献１を参照）、このコネクタとして図８に示す如きものが知られている。
【０００３】
このコネクタは、携帯電話機等の機器に接続されたリセプタクル１と、リセプタクル１に着脱自在に接続されるプラグ２とを備えている。
【０００４】
プラグ２は、合成樹脂製のプラグハウジング３と、プラグハウジング３のリセプタクル側端面より突出し、リセプタクル側端面が開口した挿入溝４を有する取付部５と、挿入溝４内に突出した接触部を有する多数のプラグコンタクト６，６…とを備え、このプラグコンタクト６がインターフェース用ケーブル等に接続されるようになっている。
【０００５】
一方、リセプタクル１は、プラグ２の取付部５が着脱自在に挿入される挿入凹部７を有する合成樹脂製のリセプタクルハウジング８と、表裏面にプラグコンタクト６の接触部が接触する接触端子部を有し、挿入凹部７の奥面より突出し、プラグの挿入溝４に挿入される板状のコンタクト板９とを備えている。
【０００６】
このリセプタクル１の挿入凹部７にプラグ２の取付部５を挿入することにより、リセプタクル１とプラグ２とが連結されるとともに、挿入溝４にコンタクト板９が挿入され、プラグコンタクト６，６…の接触部がコンタクト板９の接触端子部に接触し、電気的に接続されるようになっている。
【０００７】
【特許文献１】
特開平５−２１１１２号公報（図１、図１４）
【０００８】
【発明が解決しようとする課題】
しかし、上述のような従来の技術では、例えば、携帯電話機にインターフェース用ケーブルを接続した状態、即ち携帯電話機に取り付けられたリセプタクルとインターフェース用ケーブルに取り付けられたプラグとが連結した状態で携帯電話機が落下し、プラグとリセプタクルとの連結部分に一定以上の曲げ応力が作用すると、その連結部分がその応力に耐えきれず、折れて破損してしまうという問題があった。
【０００９】
本発明は、このような従来の技術の状況を鑑み、落下等によりプラグとリセプタクルとの連結部分が破損することを防止することができるコネクタの提供を目的とする。
【００１０】
【課題を解決するための手段】
上述の如き従来の問題を解決し、所期の目的を達成するための請求項１の発明は、機器に接続されたリセプタクルと、該リセプタクルに着脱自在に接続されるプラグとを有するコネクタにおいて、前記プラグは、絶縁材からなるプラグハウジングと、該プラグハウジングのリセプタクル側端面より突出して、前記リセプタクルのプラグ側端面に露出したリセプタクルコンタクトに弾性的に接触するプラグコンタクトとを備え、前記プラグハウジングに、そのリセプタクル側端面より突出し、前記リセプタクルのプラグ側端面に開口した連結用凹部に挿入される連結用凸部と、該連結用凸部の外側面より突出し、前記連結用凹部の内側面に対し弾性的に係止される接続弾性部とを備えるとともに、前記連結用凸部外側面と前記連結用凹部内側面との間に間隙を形成し、前記プラグとリセプタクルとの連結部分に一定以上の曲げ応力を受けると前記連結用凸部が前記連結用凹部より外れるようにしたことを特徴とする。
【００１１】
このように構成することにより、落下等によってプラグとリセプタクルとの連結部分に曲げ応力が作用しても、その曲げ応力が小さい場合には、好適に吸収し、一定以上の曲げ応力が作用した場合には、外れることによって、破損を防止することができる。
【００１２】
また、プラグコンタクトがリセプタクルコンタクトに対し好適な接触圧で接触するとともに、プラグとリセプタクルとの連結部分に一定以上の曲げ応力が作用した際に、プラグコンタクトがリセプタクルの端面を取り外し方向に付勢し、連結用凸部を連結用凹部より外れやすくする。
【００１３】
請求項２の発明は、請求項１の構成に加え、接続弾性部が、プラグハウジングの接続方向に貫通したスリット状の連結金具挿入孔に、弾性材からなる二股配置の弾性片を有する連結金具を挿入し、前記弾性片の先端側を連結用凸部の外側面より突出させることにより形成したことを特徴とする。
【００１４】
このように構成することによって、弾性片の持つ弾性によりプラグとリセプタクルとの連結部分に作用する曲げ応力を好適に吸収することができる。
【００１５】
【発明の実施の形態】
次に、本発明に係るコネクタの実施の形態を図１〜図６について説明する。
【００１６】
図１はコネクタの接合状態を示し、符号２０はリセプタクル、２１はプラグである。
【００１７】
このコネクタは、リセプタクル２０に対しプラグ２１を着脱自在に連結することによって、電気的に接続できるようになっている。
【００１８】
プラグ２１は、図３に示すように、プラグハウジングと、プラグハウジングに収容された複数のプラグコンタクト２３，２３…とを備えている。
【００１９】
プラグハウジングは、略矩形のハウジング本体部２４と、そのリセプタクル側端面２４ａの両端部より突出した連結用凸部２５，２５が合成樹脂をもって一体に形成されている。
【００２０】
ハウジング本体部２４は、プラグコンタクト２３，２３…を収容するコンタクト収容孔２６，２６…を備え、コンタクト収容孔２６にプラグコンタクト２３を収容することによって、その接触部がリセプタクル側端面２４ａより突出するようになっている。
【００２１】
連結用凸部２５は、先端側端面が円弧状に形成され、外側面が後述する連結用凹部の内側面との間に逃げ用の間隙が形成される形状となっている。
【００２２】
また、ハウジング本体部２４には、その両端部に接続方向、即ち、ハウジング本体部２４から連結用凸部２５にかけて貫通したスリット状の連結金具挿通孔２７，２７が形成されており、この連結金具挿通孔２７と連通して、連結用凸部２５の外側面、即ち、連結用凸部２５の上下面が開口している。
【００２３】
この連結金具挿通孔２７には、連結金具２８が挿入されるようになっており、この連結金具挿通孔２７のリセプタクルとは反対側端部に、連結金具２８に設けられた取付片２９を固定する固定用溝３０が形成されている。
【００２４】
尚、符号２７ａは、連結金具挿通孔２７を上下に隔てる隔壁部である。
【００２５】
また、ハウジング本体部２４のリセプタクルとは反対側の端部には、カバー３１が嵌り込むようになっており、連結金具２８を抜け止めするようになっている。
【００２６】
連結金具２８は、図４に示すように、固定用溝３０に嵌め込まれる取付片２９と、取付片２９より二股状に配置された一対の弾性片３２，３２とを備え、弾性を有する部材をもって一体に形成されている。
【００２７】
弾性片３２は、先端部に連結用凸部２５の外側面より突出する係合接触部３３を備え、この係合接触部３３の外側には、係合用突起３４が一体に形成されている。この係合接触部３３が係合用凸部２５の外側面より突出することにより、連結用凹部の内側面に対し弾性的に係止される接続弾性部が形成される。
【００２８】
係合用突起３４は、先端側が緩やかな傾斜、基端側が稍険しい傾斜をなす山型に形成されている。
【００２９】
プラグコンタクト２３は、図５に示すように、導電性材からなる筒部３５と、筒部３５内に収容されたスプリング３６と、筒部３５に摺動自在且つ導通した状態に支持された接触ピン３７とを備え、この接触ピン３７がスプリング３６により付勢されて筒部３５の一端側より先端部を突出させている。
【００３０】
このプラグコンタクトの筒部３５が、プラグハウジング２４のコンタクト収容孔２６に収容され、プラグハウジング２４のリセプタクル側端面２４ａからは接触ピン３７のみが突出している。
【００３１】
また、筒部３５は、プラグハウジング２４のリセプタクルとは反対側の端面より突出した接続片３８に接続され、この接続片がインターフェース用のケーブル等に接続されるようになっている。
【００３２】
リセプタクル２０は、角筒状のシールド部材３９と、シールド部材３９内に収容されるリセプタクルハウジング４０と、リセプタクルハウジング４０に収容された複数のリセプタクルコンタクト４１，４１…とを備えている。
【００３３】
シールド部材３９は、導電性材により形成され、その両端部には、上下に対向した係止孔４２，４２が形成されている。
【００３４】
リセプタクルハウジング４０は、合成樹脂材により矩形に形成され、その両側部には、閉鎖版４３，４３が一体に形成されている。
【００３５】
また、リセプタクルハウジング４０には、プラグ側に開口した収容凹部４４，４４…が並列配置に形成され、この収容凹部４４にリセプタクルコンタクト４１の接触部４５が収容され、プラグ側に露出した状態にリセプタクルコンタクト４１が収容されるようになっている。
【００３６】
リセプタクルコンタクト４１は、平板状の接触部４５の一方の側縁に固定片４６が、接触部４５の固定片４６とは反対側の側縁に連結片４７が、接触部４５、固定片４６及び連結片４７がコ字形配置となるように導電材をもって一体に形成され、連結片４７の延長部に接続片４８が一体に形成されている。
【００３７】
固定片４６は、収容凹部４４と連続した取付穴４９に圧入され接触部４５を収容凹部４４に収容した状態でリセプタクルコンタクト４１をリセプタクルハウジング４０に取り付けるようになっている。
【００３８】
また、連結片４７は、リセプタクルハウジング４０の接続方向に貫通した貫通孔５０に挿通され、接続片４８をプラグとは反対側の端部に突出させるようになっている。
【００３９】
接続片４８は、携帯電話機等の電子機器のプリント配線基板や機器に接続されたケーブル等に接続されるようになっている。
【００４０】
リセプタクル２０の両側部には、シールド部材３９、リセプタクルハウジング４０外側面及び閉鎖版４３に囲まれて連結用凹部５１が形成されている。
【００４１】
この連結用凹部５１の上下方向に対向した両内側面には、シールド部材の係止孔４２，４２が配置され、この係止孔４２に対し接触弾性部の係合用突起３４，３４が着脱自在に係止されるようになっている。尚、係合用突起３４は、基端側が稍険しい傾斜となっているので、一定以上の力が作用すると外れるようになっている。
【００４２】
このコネクタは、プラグの連結用凸部２５をリセプタクルの連結用凹部５１に挿入することにより、接続弾性部、即ち、連結用凸部２５の外側面より突出した連結金具２８の係合用突起３４が連結用凹部５１内側面に形成された係止孔４２に係合されることによって、プラグ２１とリセプタクル２０とが相互に連結されるとともに、プラグコンタクト２３の接触ピン３７がリセプタクルコンタクト４０の接触部４５に接触し、スプリング３６の弾性に抗して筒部３５内に押し込まれて、好適な接触圧によって電気的に接続される。
【００４３】
この際、連結用凸部２５の外側面と連結用凹部５１の内側面との間に間隙ｔが形成される。
【００４４】
このコネクタの連結部分に曲げ応力が作用すると、その曲げ応力が小さい場合には、連結用凸部２５外側面と連結用凹部５１内側面との間に間隙ｔがあるので、連結金具２８が弾性変形することによって、その応力を吸収することができる。
【００４５】
また、コネクタの連結部分に一定以上即ち、連結金具２８、即ち弾性片３２，３２の弾性変形ではその応力を吸収できない程度の曲げ応力が作用すると、係合用突起３４が係止孔４１より外れ、プラグ２１の連結用凸部２５がリセプタクル２０の連結用凹部５１より外れるようになっている。
【００４６】
尚、上述の実施例では、接触弾性部を連結金具を用いて形成した例について説明したが、図７に示すように、連結用凸部２５の外側面より突出した形状のバネ片６０を合成樹脂により一体に設けるようにしてもよい。
【００４７】
また、上述の実施例では、筒部３５、スプリング３６及び接触ピン３７とを備えたプローブ型のプラグコンタクト２３を用いた例について説明したが、プラグコンタクトは、その他、リセプタクル側端面より突出した弾性部分を有し、係る弾性部分がプラグとリセプタクルとを連結させた際にリセプタクルコンタクトに対して好適な接触圧で接触されるようにしたものであれば、どのような形状、構成のものでもよい。
【００４８】
【発明の効果】
上述のように、本発明に係るコネクタは、小さい曲げ応力が作用した際には、接続弾性部の弾性により吸収し、大きな曲げ応力が作用した際には、連結用凸部が連結用凹部より外れることによって、プラグとリセプタクルとの連結部分が落下等により破損するのを防止することができる。
【００４９】
更には、通常の着脱作業においても簡単にリセプタクルからプラグを取り外すことができる。
【図面の簡単な説明】
【図１】本発明に係るコネクタを示す平面図である。
【図２】同上のＡ−Ａ線断面図である。
【図３】図１中のプラグを示す平面図である。
【図４】同上の連結金具を示す側面図である。
【図５】同上のプラグコンタクトを示す断面図である。
【図６】（ａ）は同上のリセプタクルを示す正面図、（ｂ）は同平面図、（ｃ）は同Ｂ−Ｂ線断面図、（ｄ）は同Ｃ−Ｃ線断面図である。
【図７】接触弾性部の他の一例を示す断面図である。
【図８】従来のコネクタの一例を示す断面図である。
【符号の説明】
２０  リセプタクル
２１  プラグ
２３  プラグコンタクト
２４  ハウジング本体
２５  連結用凸部
２６  コンタクト収容孔
２７  連結金具挿通孔
２８  連結金具
２９  取付片
３０  固定用溝
３１  カバー
３２  弾性片
３３  係合接触部
３４  係合用突起
３５  筒部
３６  スプリング
３７  接触ピン
３８  接続片
３９  シールド部材
４０  リセプタクルハウジング
４１  リセプタクルコンタクト
４２  係止孔
４３  閉鎖版
４４  収容凹部
４５  接触部
４６  取付片
４７  連結片
４８  接続片
４９  取付穴
５０  貫通孔
５１  連結用凹部
６０  バネ片
【図１】
2004259632.tif 000003
【図２】
2004259632.tif 000004
【図３】
2004259632.tif 000005
【図４】
2004259632.tif 000006
【図５】
2004259632.tif 000007
【図６】
2004259632.tif 000008
【図７】
2004259632.tif 000009
【図８】
2004259632.tif 000010